(57)【要約】【課題】本開示は、従来以上に音響機器からの振動を映像機器に伝えにくくすることを提供する。【解決手段】  映像を受信し表示する映像機器Aと、音を受信し再生する音響機器Bと、前記音響機器Bから前記映像機器Aに伝わる振動を抑制し、音響機器Bに取り付く防振ゴム100と、前記映像機器Aに設けた、前記防振ゴム100の長さより長いボスCと前記ボスCに、前記防振ゴム100を前期映像機器Aと挟み込むようにビスDとを備える映像機器の音響システム取り付け構造。【選択図】図１
2014138333.tif 000002
【特許請求の範囲】
【請求項１】
映像を受信し表示する映像機器と、
音を受信し再生する音響機器と、
前記音響機器から前記映像機器に伝わる振動を抑制し音響機器に取り付く防振ゴムと、
前記映像機器に設けた、前記防振ゴムの長さより長いボスと前記ボスに、前記防振ゴムを前記映像機器と挟み込むようなビスと、
を備える映像機器の音響システム取り付け構造。
【請求項２】
前記防振ゴムの形状が、前記映像機器側のフランジの面に複数本で1mm程度以上の高さ
を持つリブを配置し、そのリブの根元にＲ面を設け、さらに逆側のビス側のフランジにも同様のリブを前記映像機器側のフランジのリブの位置とはずらして配置した防振ゴムで構成される、請求項１記載の映像機器の音響システム取り付け構造。
【請求項３】
前記映像機器から設置されている前記ボスの外周径より2mm程度以上大きい内径を持つ
防振ゴムで、その内径面から、前記ボスの外周面に接するように伸びた6本以下のリブを
配置した防振ゴムで構成される、請求項１記載の映像機器の音響システム取り付け構造。
【発明の詳細な説明】
【技術分野】
【０００１】
本開示は、映像機器用に用いられる音響システムの取り付け装置に関するものである。
【背景技術】
【０００２】
映像機器用に用いられる音響システムの取り付け装置としては、例えば特許文献１に開示されているものがある。
【０００３】
この取り付け装置では、音響機器に取り付けた防振ゴムを、映像機器に設けられたボスにて支持し、その防振ゴムが落下しないように、映像機器に設けられたボスにビスを挿入して固定する。これにより、映像機器に与える振動を減らしている。
【先行技術文献】
【特許文献】
【０００４】
【特許文献１】特開２０００−２２４６８１号公報
【特許文献２】第２６３９６４８号公報
【発明の概要】
【発明が解決しようとする課題】
【０００５】
しかし、近年、テレビ等の映像機器が薄型化し、防振構造的に非常に弱くなったため、上記特許文献１に開示する音響システム取り付け構造では、ゴムの硬度を10以下にしても、対応できなくなってきた。
【０００６】
そこで、更なる防振を図るために、例えば特許文献２に記載のような防振ゴムを採用することが考えられる。この文献に開示された防振構造では、マウントフレームに設けた防振ゴムを、ベースフレームに設けられたボスを介して、ビスとベースフレームにて挟み込んでいる。その際ビスとベースフレームに接する防振ゴムの接点をリブ形状にすることで接触面積を減らすことによって、振動を減らしている。
【０００７】
しかし、この特許文献２の技術は、ＨＤＤ装置の防振装置に係るものであり、磁気ヘッドの磁気ディスクに対する相対位置が変化することを防止するためにリブの凹凸構造が均一で凹凸の間隔も同じとなっている。したがって、依然接触面積が多く、さらに音響機器ゴムと映像機器のボスの長さが変わらないため、結果として映像機器への振動棒新対策が不十分であった。
【０００８】
本開示は、従来以上に音響機器からの振動を映像機器に伝えにくくすることを提供する。
【課題を解決するための手段】
【０００９】
本開示における映像機器用に用いられる音響システムの取り付け装置は、映像を受信し表示する映像機器と、音を受信し再生する音響機器と、音響機器から前記映像機器に伝わる振動を抑制し、音響機器に取り付く防振ゴムと、前記映像機器の設けた、前記防振ゴムの長さより長いボスと前記ボスに、前記防振ゴムを前記映像機器と挟み込むようにビスとを備える。
【発明の効果】
【００１０】
本開示における映像機器用に用いられる音響システムの取り付け装置は、音響機器からの振動をゴムの弾性力以上に低減するのに有効である。
【図面の簡単な説明】
【００１１】
【図１】実施の形態１における映像機器用に用いられる音響システムの取り付け装置の断面図
【図２】実施の形態1の映像機器に取り付けられた音響システムの取り付け装置の斜視図
【図３】実施の形態2における映像機器用に用いられる防振ゴムの斜視図
【図４】実施の形態3における映像機器用に用いられる音響システムの取り付け装置の別形状の防振ゴム形状の断面図
【図５】実施の形態3における映像機器用に用いられる音響システムの取り付け装置のビス側から見た断面図
【図６】実施の形態１における映像機器用に用いられる音響システムの取り付け装置の別形状の防振ゴム形状の断面図
【図７】実施の形態１における映像機器用に用いられる音響システムの取り付け装置の別形状の防振ゴム形状の断面図
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者（ら）は、当業者が本開示を十分に理解するために添付図面および以下の説明を提供するのであって、これらによって特許請求の範囲に記載の主題を限定することを意図するものではない。
【００１４】
（実施の形態１）
以下、図１を用いて、実施の形態１を説明する。
【００１５】
［１−１．構成］
図１は、実施の形態１にかかる映像機器用に用いられる音響システムの取り付け装置の断面図である。
【００１６】
この映像機器用に用いられる音響システムの取り付け装置は、映像を受信し表示する映像機器Aと、音を受信し再生する音響機器Bと、前記音響機器Bから前記映像機器Aに伝わる振動を抑制し、音響機器Bに取り付く防振ゴム100と、前記映像機器Aに設けた、前記防振
ゴム100の長さより長いボスCと前記ボスCに、前記防振ゴム100を前記映像機器Aと挟み込
むようにビスDとを備える。
【００１７】
図2は、図1の全体斜視図である。
【００１８】
［１−２．動作］
以上のように構成された映像機器の音響システム取り付け装置について、その動作を
以下説明する。
【００１９】
防振ゴム100が、映像機器AとビスDに強制的に接触していないため、防振ゴム100が振動しても、映像機器AとビスDに同時に交互に伝えることがなくなる。つまり、映像機器Aや
ビスＤを押し続けることがなく、防振ゴム100の振動はボスＣを介して伝わるか、防振ゴ
ム100が片寄って接触した面側の映像機器AかビスＤのどちらかにだけ伝えることとなる。
【００２０】
［１−３．効果等］
以上のように、本実施の形態において、防振ゴム100が、映像機器AとビスＤに強制的に接触していないため、防振ゴム100が振動しても、防振ゴム100の振動はボスＣを介して伝わるか、防振ゴム100が片寄って接触した面側の映像機器AかビスＤのどちらかにだけ伝えることとなり、振動伝達量が低減できる。
【００２１】
（実施の形態２）
以下、図3を用いて、実施の形態２を説明する。
【００２２】
［２−１．構成］
図3は、実施の形態2にかかる映像機器用に用いられる音響システムの取り付け装置の防振ゴム200の斜視図である。
【００２３】
防振ゴム200の形状は、映像機器A側のフランジ1の面に複数本で1mm程度以上の高さを持つリブ3を配置し、そのリブ3の根元にＲ面を設け、さらに逆側のビスＤ側のフランジ2に
も同様のリブ4をリブ3の位置とはずらして配置した。
【００２４】
なお上記リブ3,リブ4の根元の傾斜は、Ｃ面でもよい。
【００２５】
また、フランジ1、フランジ2においてそれぞれ、リブを音響機器B側に設けても同様で
ある。
【００２６】
［２−２．動作］
以上のように構成された映像機器の音響システム取り付け装置について、その動作を説明する。
【００２７】
防振ゴム200は、防振ゴム100にくらべ、映像機器AやビスＤに接触する面が減少するた
め、防振ゴム200と映像機器AもしくはビスＤとの摩擦音を軽減することができる。さらに映像機器A側とビスＤ側のリブ3とリブ4の位置がずれることにより、リブ3が、映像機器A
側から受けた反作用の動きを、音響機器Ｂを介してフランジ２に伝えるが、フランジ２とビスＤの間に隙間が有るため、ビスＤは直接フランジ２の振動を受けることが無い。
【００２８】
［２−３．効果等］
本実施の形態において、防振ゴム200が、防振ゴム100にくらべて、映像機器A、音響機
器B、ビスＤなどに、接触する面積が減り、且つリブ３、リブ4の高さがフランジ面より1mm程度以上高く、リブ位置をずらすことでダイレクトの力を分散し弱める効果が生じる。
さらに特許文献2の構成よりも接触面積を小さくでき、防振効果が増大する。
【００２９】
（実施の形態3）
以下、図4、5を用いて、実施の形態3を説明する。
【００３０】
［3−１．構成］
図4は、実施の形態3にかかる映像機器用に用いられる音響システムの取り付け装置の防振ゴム300を取り付けた断面図である。
【００３１】
本実施形態の映像機器の音響システム取り付け装置では、映像機器Aから設置されてい
るボスＣの外周径より2mm程度以上大きい内径を持つ防振ゴム300と、前記防振ゴム300の
内径面から、ボスＣに接するように伸びた6本以下のリブ5を配置した防振ゴム300で構成
される。
【００３２】
ビス側から見た断面図は図5に示す。
【００３３】
［3−２．動作］
以上のように構成された映像機器の音響システム取り付け装置について、その動作を説明する。
【００３４】
防振ゴム300は、防振ゴム100にくらべ、ビスＣに接触する面が減少し、円形のため、均一に面全体から伝わる振動量を減少させた。
【００３５】
［3−３．効果等］
本実施の形態において、防振ゴム300は、防振ゴム100にくらべ、ビスＣに接触する面が減少するため、防振ゴム300自身の面振動の伝達を軽減することができる。さらにボスＣ
と防振ゴム300の内径面とのこすれ音を低減できた。
【００３６】
（他の実施の形態）
以上のように、本出願において開示する技術の例示として、実施の形態１〜3を説明し
た。しかしながら、本開示における技術は、これに限定されず、適宜、変更、置き換え、付加、省略などを行った実施の形態にも適用可能である。また、上記実施の形態１〜3で
説明した各構成要素を組み合わせて、新たな実施の形態とすることも可能である。
【００３７】
そこで、以下、他の実施の形態を例示する。
【００３８】
実施の形態１では、フランジ断面が四角であるが、三角形や楕円や放物線形状でもよい。
【００３９】
図６参照。そもそも、音響機器Bは箱の中で起こる空気振動で箱共振が生じるため、箱
強度が弱いと、本来の音響機器Bの振動に加えて、箱共振の振動が音響機器Bの側面部に多く伝わる。しかし、防振ゴム400は、フランジが音響機器側面6に接していないか、接触面積が少ないため、本来の音響機器B全体の振動だけを受け取ることが出来て、音響機器Bからの振動量を低減可能である。
【００４０】
また、防振ゴム100のフランジ厚みを両端とも均一厚みにする必要はなく、場合によっ
てはフランジが片側だけでも良い。図７参照。
【００４１】
以上のように、本開示における技術の例示として、実施の形態を説明した。そのために、添付図面および詳細な説明を提供した。
【００４２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４３】
また、上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、映像機器の音響システム装置に適用可能である。具体的には、薄型テレビや、スピーカ付コンピューター表示機、カメラ機能付き携帯電話機、スマートフォンなどに
、本開示は適用可能である。また音響システム内臓の家具やインテリアにも応用可能である。
【符号の説明】
【００４５】
A  映像受像器
B  音響機器
C  ボス
D   ビス
１  フランジ
２  フランジ
３  リブ
４  リブ
５  リブ
６  音響機器側面
100  防振ゴム
200  防振ゴム
300  防振ゴム
400  防振ゴム
500  防振ゴム
【図１】
2014138333.tif 000003
【図２】
2014138333.tif 000004
【図３】
2014138333.tif 000005
【図４】
2014138333.tif 000006
【図５】
2014138333.tif 000007
【図６】
2014138333.tif 000008
【図７】
2014138333.tif 000009